(57)【要約】【課題】球払出装置から送出される球を所要位置まで誘導する球通路を合理的に構成することができる遊技機を提供する。【解決手段】前枠３の後面に配設されかつ遊技盤１１が装着される基枠１０と、その基枠１０の後側に配設される機構板２０と、その機構板２０に配設される球払出装置５１と、その球払出装置５１から送出される球を所要位置まで誘導する球通路２７と、を備える。基枠１０には、球通路２７の少なくとも一部を構成するための通路壁２７ａが形成されている。【選択図】    図１
2010131445.tif 000002
【特許請求の範囲】
【請求項１】
前枠の後面に配設されかつ遊技盤が装着される基枠と、その基枠の後側に配設される機構板と、その機構板に配設される球払出装置と、その球払出装置から送出される球を所要位置まで誘導する球通路と、を備えた遊技機であって、
前記基枠には、前記球通路の少なくとも一部を構成するための通路壁が形成されている遊技機。
【請求項２】
請求項１に記載の遊技機であって、
基枠の前面から前枠の後面に向けて通路壁が一体に突設され、
球通路の少なくとも一部が前記基枠の前面、通路壁、及び前枠の後面に囲まれて構成されている遊技機。
【請求項３】
請求項１又は２に記載の遊技機であって、
球通路は球を機外に排出する球抜き通路である遊技機。
【発明の詳細な説明】
【技術分野】
【０００１】
この発明はパチンコ機のような遊技機に関する。
【背景技術】
【０００２】
遊技機、例えば、パチンコ機において、前枠の後面に固定されかつ遊技盤が装着される基枠と、その基枠の後側に配設される機構板と、その機構板の後側に配設される球払出装置と、その球払出装置から送出される球を所要位置まで誘導する球通路（例えば、賞球、貸球に対する通路や球を機外に排出する球抜き通路）と、を備えた構造のパチンコ機が知られている。このようなパチンコ機において、基枠の後側に配設される機構板（裏セット板、裏機構板等とも呼ばれる）の後面の上部に対し球タンクやタンクレールが装着されている。さらに、機構板の後面の片側には、タンクレールに通じる球払出装置が配設されている。また、機構板の後面には、球払出装置から送出される球を所要位置まで誘導する球通路、例えば、球を上皿、下皿にそれぞれ誘導する上皿連通路、下皿連通路、あるいは、球を機外に排出する球抜き通路がそれぞれ形成されるようになっているのが一般的であった。
【発明の概要】
【発明が解決しようとする課題】
【０００３】
ところで、前記従来のパチンコ機においては、球払出装置から送出される球を所要位置まで誘導する球通路が機構板の後面に形成され、当該球通路が形成される部分において、機構板の後面が凹凸面をなす。このため、機構板の後面に突出する球通路が妨害物となって、所要とする制御基板や、制御基板を収納した基板ボックス等の付属装置を設置することが困難となる場合があった。
【０００４】
この発明の目的は、前記従来の問題点に鑑み、球払出装置から送出される球を所要位置まで誘導する球通路を合理的に構成することができる遊技機を提供することである。
【課題を解決するための手段】
【０００５】
前記目的を達成するために、第１の発明に係る遊技機は、請求項１に記載のとおりの構成を要旨とする。したがって、前枠の後面に配設されかつ遊技盤が装着される基枠に対し、通路壁を形成して球通路の少なくとも一部を構成することによって、その基枠の後側に配設される機構板の後面に対し、球通路を突出して形成する必要がなくなる。この結果、機構板の後面に対し付属装置の設置スペースを容易に確保することがきる。
【０００６】
また、第２の発明に係る遊技機は、請求項２に記載のとおりの構成を要旨とする。したがって、基枠の前面、通路壁、及び前枠の後面に囲まれた状態で球通路の少なくとも一部を構成して、その球通路をより一層合理的に構成することができる。このため、前枠の後面から球通路の後面までの距離も可及的に小さくすることができるとともに、球通路を構成するための専用の部材を製作して組み付ける必要もない。
【０００７】
また、第３の発明に係る遊技機は、請求項３に記載のとおりの構成を要旨とする。したがって、球通路としての球抜き通路を、機構板の後面に突出して形成する必要がなく、極めて合理的に構成することができる。
【発明の効果】
【０００８】
以上述べたように、この発明によれば、球通路の少なくとも一部を構成する通路壁を基枠に設けて、球通路を合理的に構成することができるため、例えば、機構板の後面に対し付属装置の設置スペースを確保することが容易となる。
【図面の簡単な説明】
【０００９】
【図１】この発明の実施の形態に係る遊技機としてのパチンコ機を一部破断して示す背面図である。
【図２】同じくパチンコ機の全体を示す背面図である。
【図３】同じく図１のＩＩＩ−ＩＩＩ線に基づく縦断面図である。
【図４】同じく図１のＩＶ−ＩＶ線に基づく縦断面図である。
【図５】同じく図１のＶ−Ｖ線に基づく縦断面図である。
【図６】同じく機構板のユニット装着部における球払出ユニットのユニットケース上部と係止部材との関係を拡大して示す縦断面図である。
【図７】同じくユニット装着部の下係合部とユニットケース下部の下係合片との関係を拡大して示す縦断面図である。
【図８】同じく図１のＶＩＩＩ−ＶＩＩＩ線に基づく横断面図である。
【図９】同じく図１のＩＸ−ＩＸ線に基づく横断面図である。
【図１０】同じく図１のＸ−Ｘ線に基づく横断面図である。
【図１１】同じく球払出ユニットのユニットケースを示す縦断面図である。
【図１２】同じくユニットケースに対し係止部材が装着位置に配置された状態を一部破断して示す説明図である。
【図１３】同じく係止部材は脱着位置に配置切り換えされた状態を一部破断して示す説明図である。
【図１４】同じく押下部材によって球止め部材が球止め位置に配置された状態を示す説明図である。
【図１５】同じく球払出ユニットの回転体収納室に回転体が組み付けられた状態を拡大して示す背面図である。
【図１６】同じく回転体と払出用モータとの組付状態を示す断面図である。
【図１７】同じく分岐室の流入口の室内側開口端と、上皿用送出路の落入口の上端開口部と間の間隔寸法の設定を示す説明図である。
【発明を実施するための形態】
【００１０】
この発明の実施の形態を図面にしたがって説明する。パチンコ機を背面から表した図２、一部破断して表した図１、図１のＩＩＩ−ＩＩＩ線基づく断面で表した図３、図１のＶ−Ｖ線基づく断面で表した図５及び図１のＶＩＩＩ−ＶＩＩＩ線基づく断面で表した図８において、遊技機としてのパチンコ機１は、その外枠２の前側にヒンジ機能によって方形枠状の前枠３が開閉可能に装着されている。
【００１１】
前枠３の枠開口部にはガラス扉４を開閉可能に有するガラス枠が装着されるとともに、ガラス枠の下部に隣接して前板５が開閉可能に装着されている。この前板５の前面には球Ｂが貯留可能な上皿６が装着されている。
また、前枠３の前面下部には球Ｂが貯留可能な下皿７が装着され、同前枠３の前面下部の片側寄りには球発射用のハンドル装置（図示しない）が装着されている。
【００１２】
前枠３の後面には、その枠開口部の周縁部において基枠１０が固定状態で組み付けられている。基枠１０の枠内には遊技盤１１が着脱可能に嵌込まれ、その遊技盤１１の後面の周囲が機構板２０（裏セット板、裏機構板等とも呼ばれる）によって押されられた状態で固定されている。また、遊技盤１１の後面には球誘導樋（図示しない）が組み付けられるとともに、その球誘導樋を覆うようにして裏カバー体１３が開閉可能に組み付けられている。この裏カバー体１３の後面には、主制御基板１６が収納された主制御基板ボックス１５が装着されている。
【００１３】
遊技盤１１の後面の周囲を押さえる機構板２０は、裏カバー体１３を取り囲む枠状に形成され、その一側において基枠１０の一方に枠部に開閉可能に装着されている。また、機構板２０は、基枠１０に対し止め具１２によって係脱可能にかつ閉じ状態に保持されている。そして、機構板２０が開かれた状態において、基枠１０に対し遊技盤１１が着脱され、機構板２０が閉じられることで、基枠１０に対し遊技盤１１が押さえられて固定されるようになっている。なお、遊技盤１１の前面の遊技領域には、一般入賞口、特定入賞口、ゲート口等を有する役物装置や図柄表示装置等が配設されている。
【００１４】
前記機構板２０の後面の上部には、球Ｂが貯留される球タンク２１と、その球タンク２１の一端寄りの下部に設けられた供給口に接続されるタンクレール２２とがそれぞれ装着されている。タンクレール２２は、その一側から他側（図１に向かって左側から右側）に向けて球Ｂが前後２列に整列されながら流れる傾斜状に形成され、そのタンクレール２２の下傾端を球送出部としている。そして、球タンク２１とタンクレール２２によってこの発明の球供給部が構成されている。機構板２０の後面の片側（図１に向かって右側）には、タンクレール２２の球送出部に隣接してユニット装着部が設けられ、そのユニット装着部には球払出装置を構成する１つのユニット状の球払出ユニット５１が着脱可能に装着されている。
【００１５】
図５と図７に示すように、機構板２０には、ユニット装着部の下部において、球払出ユニット５１の下部を係脱可能に係止する下係合部２８が後方に向けて断面ほぼＬ字状をなして突設されている。また、図５と図６に示すように、ユニット装着部の上部には支持部２９が設けられ、その支持部２９には係止部材３３が組み付けられている。
【００１６】
図６と図１２に示すように、係止部材３３は、ビス３１と長孔３２によって左右方向にスライド可能に支持されるとともに、そのスライドストロークが制限されている。そして、係止部材３３のスライドの一端位置が球払出ユニット５１を装着状態で係止する係止位置とされている。また、図１３に示すように、係止部材３３のスライドの他端位置が球払出ユニット５１を脱着可能な脱着位置とされている。すなわち、図６と図１２に示すように、係止部材３３には、球払出ユニット５１を装着状態に係止する横方向に長い平板状の係止部３４が形成されて、その係止部３４には、球払出ユニット５１を取り外すための複数（左右一対）の欠除部３５が切り欠き状に形成されている。
【００１７】
また、図１２〜図１４に示すように、機構板２０の後面には、タンクレール２２の球送出部と球払出ユニット５１との間に位置して球止め部材４０が装着されている。この球止め部材４０は、ばね格納部を有する本体部４０ａと、その本体部４０ａの一側から下方に延出された球止め片４１と、本体部４０ａの上部に設けられた係合凹部４２とその係合凹部４２の上壁部をなす上板部４４とを一体に備えている。そして、球止め部材４０は、機構板２０に設けられたガイド部に案内されて上下動可能に組み付けられている。
【００１８】
すなわち、図１３に示すように、球止め部材４０は、その球止め片４１がタンクレール２２の球送出部に突入してその球送出部の球を落下不能に球止めする球止め位置と、図１２に示すように、タンクレール２２の球送出部から後退してその球送出部の球を球払出ユニット５１に供給可能な退避位置とに配置切り換えされるようになっている。また、球止め部材４０の本体部４０ａのばね格納部と、機構板２０の後面に突設されたばね受け部との間には、球止め部材４０を退避位置に弾発して保持する戻しばね４５が介在されている。
【００１９】
また、機構板２０の後面には、球止め部材４０の上板部４４の上方に位置しかつ球止め部材４０を球止め位置と、退避位置とに切換操作するための押下部材４６が組み付けられている。この押下部材４６は、その中心部の軸４８を中心として回動操作可能で、外周面の一部に切除面からなる押下解除部４７を有するほぼ円形に形成されている。そして、図１２に示すように、押下部材４６の押下解除部４７が下向きになるように回動操作されて非押下位置に配置されたときには、戻しばね４５の弾発力によって、球止め部材４０の上板部４４が押下解除部４７に当接する退避位置に保持されるようになっている。また、図１４に示すように、押下部材４６が軸４８を中心として所定角度回動操作されることによって、球止め部材４０が戻しばね４５の弾発力に抗して球止め位置に配置切り換えされるようになっている。
【００２０】
図１２〜図１４に示すように、係止部材３３と球止め部材４０との間には、係止部材３３が係止位置から脱着位置に向けて配置切換されるときに、係止部材３３の切換動作に連動して球止め部材４０を球止め位置に配置切換するための連動手段が設けられている。この実施の形態において、係止部材３３の一端部下面には、同係止部材３３が脱着位置に向けてスライドしたときに、球止め部材４０の係合凹部４２の下側面に接しながら滑走して同球止め片４１を戻しばね４５の弾発力に抗して押し下げる下向き傾斜状の連動部３６が形成されている。
【００２１】
この実施の形態において、球止め部材４０の連動部３６によって連動手段が構成されている。また、この実施の形態において、球止め片４１の係合凹部４２の下側面においても、係止部材３３の連動部３６に対応する上向き傾斜の連動部４３が形成されている。また、機構板２０のユニット装着部には、その下係合部２８が設けられる部分と、係止部材３３が組み付けられる部分を除く間において開口窓２０ａが形成されている（図６及び図７参照）。
【００２２】
図１と図５に示すように、機構板２０のユニット装着部に着脱可能に装着される球払出ユニット５１は、ユニットケース５２と、そのユニットケース５２に組み付けられる回転体９０、払出用モータ８１、第１、第２の通路切換部材１００、１１０、各種検出器等を備えている。図５〜図７に示すように、ユニットケース５２は、合成樹脂の射出成形によってそれぞれ成形されるベース体５３、中間仕切体５４及びカバー体５６の３部品が分離可能に結合されることによって構成されている。また、この実施の形態において、中間仕切体５４の上下両端には、複数（左右一対）の上係合片５８と下係合片５９とがそれぞれ突設されている。そして、ユニット装着部の下係合部２８の斜め上方から下係合片５９を差し込み、当該部分を支点としてユニットケース５２をユニット装着部に向けて起立させることによって上係合片５８が脱着位置にある係止部材の取外孔に挿入される。その後、係止部材を係止位置にスライドさせることによって、ユニット装着部に対し球払出ユニット５１が装着状態で係止されるようになっている。
【００２３】
図７に示すように、ユニットケース５２内には、その中間仕切体５４を境として前後２列の球通路が構成されている。さらに、図１１に示すように、ユニットケース５２内には、その上部から下部に向けて球通路を構成する上部球通路６０、回転体収納室６１、賞球用通路６３、貸球用通路６４、払出用通路６５、上皿用送出路７２及び下皿用送出路７６を有する分岐室７０の順に連通しかつ中間仕切体５４において、前記各通路が前後２列に区画されてそれぞれ形成されている。さらに、払出用通路６５の上流部に連通して上部球抜通路６７が形成されている。
【００２４】
この実施の形態において、平板状に形成された中間仕切体５４の前後両面に対し、上部球通路６０の通路壁６０ａ、回転体収納室６１の室壁６１ａ、賞球用通路６３の通路壁６３ａ、貸球用通路６４の通路壁６４ａ、払出用通路６５の通路壁６５ａ、分岐室７０の室壁７０ａ及び上部球抜通路６７の通路壁６７ａがそれぞれ形成されている。すなわち、中間仕切体５４が通路構成体として機能するように構成されているため、ベース体５３やカバー体５６に各通路壁６０ａ、６３ａ、６４ａ、６５ａ、６７ａや各室壁６１ａ、７０ａを形成する必要がなく、これらベース体５３やカバー体５６の成形が容易となる。
【００２５】
なお、ベース体５３、中間仕切体５４及びカバー体５６の３部品の形状、構造、成形性等を考慮して、各通路壁６０ａ、６３ａ、６４ａ、６５ａ、６７ａや各室壁６１ａ、７０ａを、ベース体５３、中間仕切体５４及びカバー体５６の３部品の成形しやすい箇所にそれぞれ分割して形成し、前記３部品の組付によって各通路壁６０ａ、６３ａ、６４ａ、６５ａ、６７ａや各室壁６１ａ、７０ａを構成することも可能である。
【００２６】
ユニットケース５２の上部球通路６０は、ほぼＳ字状に屈曲され、その流入口は、タンクレール２２の球送出部に接近して臨んでいる。これによって、タンクレール２２の球送出部から流下する球Ｂが上部球通路６０に流入するようになっている。また、図１２に示すように、ユニットケース５２には、その上部球通路６０の流入口近傍に位置して球切検出器８０が配設されている。この球切検出器８０は、タンクレール２２の球送出部からの球Ｂの供給が途絶えたときに、その球切れの信号を主制御基板１６又は枠制御基板１２１に出力し、これに基づいて、パチンコ機１の所定位置に設置された球切れ報知用ランプを点灯させるようになっている。
【００２７】
図１５と図１６に示すように、上部球通路６０の出口部に連通する回転体収納室６１において、その室壁６１ａに囲まれる中間仕切体５４の部分には、ほぼ円形の貫通孔５４ａが形成されるとともに、遊技盤１１の各種入賞口に入ったときの賞球数に対応する数の球を払い出す機能と、貸球機（図示しない）から送られる貸球数に対応する数の球を払い出す機能とを備えた回転体９０が前後方向にほぼ水平な軸９０ａを中心として回転可能に配設されている。回転体９０の軸９０ａの後端部は、ユニットケース５２のカバー体５６の内面に設けられた軸受け部５６ａに回転可能に支持されている。さらに、回転体９０の軸９０ａの前端部は、払出用モータ８１の出力軸８２にトルク伝達可能に連結されている。なお、払出用モータ８１は、ユニットケース５２のベース体５３と遊技盤１１との間の隙間において、ベース体５３の前面に組み付けられている。そして、払出用モータ８１は主制御基板１６または枠制御基板１２１から送られる賞球払出信号に基づいて回転制御されるとともに、パチンコ機１の片側に設置される貸球機（図示しない）から送られる貸球払出信号に基づいて回転制御されるようになっている。
【００２８】
図１５と図１６に示すように、回転体９０は、その軸９０ａの回りにおいて、中間板９１、前後の両スプロケット部９４、９６及び被検出板９２を一体状に備えている。回転体９０の前後方向ほぼ中央部に設けられた中間板９１は、中間仕切体５４とほぼ同一面をなして貫通孔５４ａに回転可能に嵌込まれている。この中間板９１の前面には、外周に複数（例えば４個）の球受け部９５が所定の間隔（例えば、４個の場合９０度間隔）を保って凹設された前スプロケット部９４が設けられている。また、回転体９０の後面には、前スプロケット部９４の球受け部９５に対し半ピッチ分（例えば、４個の場合４５度）だけそれぞれ位相して複数（例えば４個）の球受け部９７が所定の間隔を保って凹設された後スプロケット部９６が設けられている。なお、この実施の形態において、中間板９１の後側に後スプロケット部９６が一体に形成され、被検出板９２の後側に前スプロケット部９４が一体に形成されている。
【００２９】
また、図１５と図１６に示すように、被検出板９２は円盤状に形成され、その被検出板９２の外周部には、前後の両スプロケット部９４、９６の各球受け部９５の個数をそれぞれ加えた数と同数の被検出部９３がＵ溝状、Ｖ溝状等の形状をなして切り欠き状に設けられている。そして、ユニットケース５２の中間仕切体５４の所定位置には、被検出板９２の各被検出部９３を光学的に検出する光センサよりなる払出数検出器９８が配設されている。この払出数検出器９８による被検出板９２の各被検出部９３の検出信号（言い換えると、球Ｂの払出数の信号）は主制御基板１６や枠制御基板１２１に送られるようになっている。
【００３０】
すなわち、賞球、あるいは貸球に対応する信号に基づいて払出用モータ８１によって回転体９０が所定方向に回転されると、回転体収納室６１の上部の入口送られた球Ｂが回転体９０の前後の両スプロケット部９４、９６の球受部９５、９７に順に流入して同回転体収納室６１の下部の収納室出口から払い出される。そして、その球Ｂの払出個数に対応して、被検出板９２の被検出部９３が払出数検出器９８に検出されると、払出用モータ８１が停止し、回転体９０の回転が止められるようになっている。
【００３１】
図１１に示すように、回転体収納室６１の収納室出口には、賞球用通路６３と貸球用通路６４とが第１の通路切換部材１００によって択一的に連通可能に並設されている。すなわち、第１の通路切換部材１００は、軸１０１を中心としてかつ図示しないソレノイド等の切換駆動装置によって、第１、第２の両切換位置に択一的に配置切り換えされるようになっている。そして、図１１の実線に示すように、第１の通路切換部材１００が第１位置に配置切り換えされたときには、収納室出口から球Ｂが賞球用通路６３に払い出される。また、図１１の２点鎖線に示すように、第１の通路切換部材１００が第２位置に配置切換されたときには、収納室出口から球Ｂが貸球用通路６４に払い出されるようになっている。
【００３２】
また、賞球用通路６３の所定位置には、その通路に払い出された球を検出する賞球用検出器１０５が配設され、貸球用通路６４の所定位置には、その通路に払い出された球を検出する貸球用検出器１０６が配設されている。賞球用検出器１０５による球Ｂの検出信号は、主制御基板１６と枠制御基板１２１にそれぞれ送られ、貸球用検出器１０６による球Ｂの検出信号は、球貸機と枠制御基板１２１にそれぞれ送られるようになっている。そして、賞球数あるいは貸球数に対応する数の球Ｂに対し、賞球用検出器１０５あるいは貸球用検出器１０６において検出される検出個数が不足している場合（例えば、球タンク２１、タンクレール２２等において球Ｂの供給不良が発生したとき球Ｂの払い出し不足が生じる）、その不足に相当する信号が払出用モータ８１に送られ、これによって、回転体９０が不足数に対応する分だけ回転し、所要とする数の球Ｂが不足なく正確に払い出されるようになっている。
【００３３】
賞球用通路６３と貸球用通路６４とはその下流部において合流する。賞球用通路６３と貸球用通路６４との合流部の下流側には分岐部が設けられ、その分岐部の下流側には、払出用通路６５と上部球抜通路６７とが分岐して形成されている。さらに、その分岐部には、第２の通路切換部材１１０が軸１１１を中心としかつ図示しないソレノイド等の切換駆動装置によって、第１、第２の両切換位置に択一的に配置切り換えされるようになっている。そして、図１１の実線に示すように、第２の通路切換部材１１０が第１位置に配置切り換えされたときには、分岐部の球Ｂが払出用通路６５に流れる。また、図１１の２点鎖線に示すように、第２の通路切換部材１１０が第２位置に配置切換されたときには、分岐部の球Ｂが上部球抜通路６７に流れるようになっている。なお、払出用通路６５には、その通路壁６５ａの一部が除去され当該除去部分には、払出用通路６５を流れる球Ｂが当たって打ち音を発するベル１１１が設けられている。
【００３４】
図１１に示すように、払出用通路６５の下流側には分岐室７０が形成されている。この分岐室７０の上部には、払出用通路６５から送出された球Ｂが流入する流入口７１がほぼ鉛直状をなしかつ分岐室７０内に突入した状態で設けられている。また、分岐室７０内には、分岐室７０の流入口７１の直下に臨む落入口７３を有し、かつ上皿連通路２５を介して上皿６に連通する上皿用送出路７２が設けられている。さらに、分岐室７０内には、上皿用送出路７２の落入口７３に留まった球Ｂ（例えば、上皿６及び上皿連通路２５の球Ｂが満杯となったときに上皿用送出路７２の落入口７３に留まる球Ｂ）に当たって跳ね返った球Ｂが流入可能でかつその球を下皿連通路２６を介して下皿７に導く下皿用送出路７６が設けられている。
【００３５】
すなわち、この実施の形態において、図４と図１１に示すように、上皿用送出路７２は、分岐室７０内の幅方向ほぼ中央部でかつ所定高さ位置において、その中間仕切体５４に設けられたほぼＵ字状の落入口壁７３ａと、その前後の落入口壁７３ａの通路空間を連通するようにして中間仕切体５４に貫設された連通孔７４と、ベース体５３に貫設された送出口７５とを備えて構成されている。そして、上皿用送出路７２は、Ｕ字状の落入口壁７３ａの上端開口部を落入口７３とするとともに、ベース体５３に貫設された送出口７５が上皿連通路２５に連通している。また、図１１に示すように、分岐室７０の流入口７１の室内側開口端と、上皿用送出路７２の落入口７３の上端開口部と間の間隔寸法Ｈは、同上端開口部に球Ｂが留まって堆積した状態にあるときにも流入口７１から分岐室７０内に球Ｂが流入可能な間隔寸法、例えば、球Ｂの直径寸法のほぼ１．５〜２倍以上の間隔寸法となるように設定されている。
【００３６】
また、上皿用送出路７２の落入口７３に多くの球Ｂが堆積しないようにするために、その落入口７３の奥行開口寸法と幅開口寸法とのうち、少なくとも一方の開口寸法が球Ｂの直径寸法に対応する寸法に設定されることが望ましい。この実施の形態において、上皿用送出路７２の落入口７３の上端開口部の幅開口寸法は、球Ｂの直径寸法に対応する寸法（球Ｂの直径寸法よりも若干大きい程度の寸法）に設定され、落入口７３の奥行開口は、球Ｂの直径寸法より２倍程度の寸法でかつそのほぼ中央部が中間仕切体５４によって前後に区画されているため、上皿用送出路７２の落入口７３の上端開口部には球Ｂが堆積しないようになっている。
【００３７】
また、分岐室７０の流入口７１の室内側開口端と、上皿用送出路７２の落入口７３の上端開口部と間の前記間隔寸法Ｈは、例えば、図１７の（Ａ）〜（Ｃ）に示すように設定される。すなわち、分岐室７０の流入口７１の室内側開口端から落入口７３の最上部に留まる球Ｂとの間の距離Ａを球Ｂの直径寸法以上（図１７では１．５倍程度としている）になるように設定する必要がある。このため、例えば、図１７の（Ａ）に示すように、落入口７３の奥行開口寸法及び幅開口寸法Ｗ１が球Ｂの直径寸法とほぼ同じ大きさに設定された場合、分岐室７０の流入口７１の室内側開口端と、上皿用送出路７２の落入口７３の上端開口部と間の間隔寸法Ｈ１は、前記距離Ａよりも適宜に大きく（図１７では球Ｂの半径寸法程度だけ大きく）設定することによって、球詰まりを防止することが可能となる。また、落入口７３の奥行開口寸法が球Ｂの直径寸法とほぼ同じ大きさであって図１７の（Ｂ）に示すように、落入口７３の幅開口寸法Ｗ２が球Ｂの直径寸法のほぼ２倍程度に設定された場合、分岐室７０の流入口７１の室内側開口端から落入口７３の最上段に堆積し得る球Ｂとの間の距離Ａを球Ｂの直径寸法以上にするために、分岐室７０の流入口７１の室内側開口端と、上皿用送出路７２の落入口７３の上端開口部との間の間隔寸法Ｈ２を、前記間隔寸法Ｈ１よりも球Ｂの直径寸法程度大きくなるように設定することによって対処することができる。同様にして、落入口７３の奥行開口寸法が球Ｂの直径寸法とほぼ同じ大きさであって図１７の（Ｃ）に示すように、落入口７３の幅開口寸法Ｗ３が球Ｂの直径寸法のほぼ３倍程度に設定された場合、分岐室７０の流入口７１の室内側開口端から落入口７３の最上段に堆積し得る球Ｂとの間の距離Ａを球Ｂの直径寸法以上にするために、分岐室７０の流入口７１の室内側開口端と、上皿用送出路７２の落入口７３の上端開口部と間の間隔寸法Ｈ３を、前記間隔寸法Ｈ２よりも球Ｂの直径寸法程度大きく設定することによって対処することができる。このように、落入口７３の幅開口寸法又は／及び奥行開口寸法の大きさに対応して分岐室７０の流入口７１の室内側開口端と、上皿用送出路７２の落入口７３の上端開口部との間の間隔寸法Ｈを適宜に設定する。
【００３８】
図７と図１１に示すように、下皿用送出路７６は、上皿用送出路７２の落入口７３をなす落入口壁７３ａの両側部において球を導く側部誘導路７６ａと、Ｕ字状の落入口壁７３ａと分岐室７０の底面との間に設けられた底部誘導路７６ｂと、分岐室７０内の下部において中間仕切体５４に貫設された貫通孔７７と、その貫通孔７７に対応する位置においてベース体５３に貫設された送出口７８とを備えて構成されている。そして、下皿用送出路７６は、ベース体５３に貫設された送出口７８が下皿連通路２６に連通している。以上の構成部品及び球通路構成をもって球払出ユニット５１が構成され、機構板２０のユニット装着部に着脱可能に装着される。また、この実施の形態において、図２と図５に示すように、球払出ユニット５１のユニットケース５２のカバー体５６の後面には、主制御基板１６に電気的に接続される副制御基板としての枠制御基板１２１が収納された第１副基板ボックス１２０が着脱可能に装着されている。
【００３９】
図１と図４に示すように、基枠１０の遊技盤用嵌込み部の下部には下部延出部が一体に設けられている。基枠１０の下部延出部には、図１に向かって右側寄り部分において、上皿用送出路７２の送出口７５を上皿６に連通させる上皿連通路２５の一部を構成する通路壁２５ａが一体に形成されている。なお、上皿連通路２５の入口部は、機構板２０のユニット装着部の開口窓を通して上皿用送出路７２の送出口７５に接近して臨んでいる。また、基枠１０の下部延出部には、上皿連通路２５の図１に向かって右側に上部が隣接し下部が下皿７に連通する下皿連通路２６を構成する通路壁２６ａが一体に形成されている（図１０参照）。
【００４０】
また、図１、図８、図９及び図１０に示すように、基枠１０の片側寄り部分には、球払出ユニット５１の上部球抜通路６７に連通する下部球抜通路２７を構成するための通路壁２７ａが一体に形成されている。この下部球抜通路２７の上部は、球払出ユニット５１の上部球抜通路６７の出口に接近して臨んでいる。すなわち、この実施の形態において、図１、図８、図９及び図１０に示すように、遊技盤１１の片側の外側部に沿う基枠１０の片側寄り部分において、その基枠１０の前面から前枠３の後面に向けて通路壁２７ａが一体に突設されている。そして、下部球抜通路２７の主要部（下部球抜通路２７のほぼ全長）が基枠１０の前面、通路壁２７ａ及び前枠３の後面に囲まれて構成されている。また、図８に示すように、下部球抜通路２７の上部入口部は、機構板２０に形成された連通部２０ｃを介して上部球抜通路６７の下部出口部に連通している。また、下部球抜通路２７は、基枠１０の下部延出部の下部近傍までほぼ垂直に延びている。さらに、下部球抜通路２７の下端部は、下皿連通路２６の外側方及び下方に隣接してほぼＬ字状をなして延出されている。そして、下部球抜通路２７の延出端を排出口として球を機外に排出するようになっている。
【００４１】
また、この実施の形態において、図１、図３及び図４に示すように、基枠１０の下部延出部の後面側には、当該部分を覆蓋するようにして機構板２０の下部がほぼ平板状をなして張り出されており、その平坦な機構板２０の張り出し部２０ｂには、電源基板１３１が収納された第２副基板ボックス１３０が装着されている。さらに、第２副基板ボックス１３０の後面には、副制御基板としてのランプ制御基板１４１と音制御基板１４２とが左右に隣接してほぼ同一平面上に収納された第３副基板ボックス１４０が段積み状に装着されている。
【００４２】
この実施の形態に係るパチンコ機１は上述したように構成される。したがって、パチンコ遊技に先だって、あるいは、遊技の際において、パチンコ機１の前側の所定位置に配設された球貸しスイッチが作動されると、その信号が枠制御基板１２１に送られ、これに基づいて枠制御基板１２１から発せられる信号によってソレノイド等の切換駆動装置が作動し、第１の通路切換部材１００が第２位置に配置切換される。
【００４３】
この際、球貸しスイッチの作動に基づく信号がパチンコ機１の片側に設置された貸球機（図示しない）に送られ、その貸球機から発せられる貸球数に対応する数の信号が枠制御基板１２１に送られる。これに基づいて枠制御基板１２１から発せられる払出信号によって払出用モータ８１が回転制御される。すると、払出用モータ８１によって、回転体９０が所定方向にかつ貸球数に対応する回転数あるいは回転角度だけ回転する。これによって、回転体９０の前後のスプロケット部９４、９６の各球受け部９５、９７に受けられた球Ｂが前後の貸球用通路６４を経て前後の払出用通路６５に払い出される。そして、前後の払出用通路６５の球Ｂは分岐室７０の前後の流入口７１からその直下に位置する前後の上皿用送出路７２の落入口７３にそれぞれ流入し、同上皿用送出路７２の送出口７５から上皿連通路２５に流れて上皿６に払い出され、同上皿６に貯留される。
【００４４】
また、パチンコ遊技の際において、遊技盤１１の遊技領域に発射された球Ｂが入賞口に流入し検出器によって検出されると、その信号が主制御基板１６に送られる。すると、枠制御基板１２１を介して第１の通路切換部材１００が第１位置に配置切換される。この際、主制御基板１６から発せられる賞球数に対応する数の信号が枠制御基板１２１に送られ、これに基づいて枠制御基板１２１から発せられる払出信号によって払出用モータ８１が回転制御される。すると、払出用モータ８１によって、回転体９０が所定方向にかつ賞球数に対応する回転角度だけ回転する。これによって、回転体９０の前後のスプロケット部９４、９６の各球受け部９５、９７に受けられた球Ｂが前後の賞球用通路６３を経て前後の払出用通路６５に払い出される。そして、前後の払出用通路６５の球Ｂは分岐室７０の前後の流入口７１からその直下に位置する前後の上皿用送出路７２の落入口７３に流入し、同上皿用送出路７２の送出口７５から上皿連通路２５に流れて上皿６に払い出される。
【００４５】
前記したように、前後の払出用通路６５に払い出された球Ｂが分岐室７０の前後の流入口７１から前後の上皿用送出路７２の落入口７３を通過した後、上皿連通路２５を経て上皿６に払い出されて貯留される。上皿６の球Ｂが満杯状態となり、前後の上皿用送出路７２の落入口７３に球Ｂが留まることがある。この状態において、前後の払出用通路６５に払い出された球Ｂが分岐室７０の前後の流入口７１に流入すると、その球Ｂは、前後の上皿用送出路７２の落入口７３に留まった球に当たって跳ね返り、前後の下皿用送出路７６の側部誘導路７６ａに流れる。図１１に向かって左側に位置する側部誘導路７６ａに流れた球Ｂは底部誘導路７６ｂに案内されて流れる。そして、前後の下皿用送出路７６の球Ｂはベース体５３に貫設された送出口７８を通して下皿連通路２６に流れて下皿７に払い出される（図５及び図７参照）。
【００４６】
また、球タンク２１、タンクレール２２、球払出ユニット５１の上部球通路６０球を機外に排出する場合、パチンコ機１の所定位置に配置された球抜きスイッチをＯＮする。すると、その球抜きの信号が主制御基板１６から枠制御基板１２１に送られ、これに基づいて枠制御基板１２１から発せられる球抜きの信号によって第２の通路切換部材１１０が第２位置に配置切換されるとともに、払出用モータ８１が回転制御される。これによって、球タンク２１、タンクレール２２、球払出ユニット５１の上部球通路６０の球Ｂが回転体９０の前後のスプロケット部９４、９６の球受部９５、９７に順次に流入する。そして、球Ｂは賞球用通路６３又は払出用通路６５に払い出され、上部球抜通路６７に流入する。引き続いて、球Ｂは、上部球抜通路６７から基枠１０の下部球抜通路２７に流れ、その下部球抜通路２７の排出口から機外に排出される。なお、球抜き時において、第１の通路切換部材１００は第１位置に配置されていてもよく、第２位置に配置されていてもよい。
【００４７】
さて、図１、図８、図９及び図１０に示すように、前枠３の後面に配設されかつ遊技盤１１が装着される基枠１０に対し、その遊技盤１１の嵌込み部の外側領域において、球通路としての下部球抜通路２７の少なくとも一部を構成することができる。このため、基枠１０の後側に配設される機構板２０の後面に対し、球通路としての下部球抜通路２７を突出して形成する必要がなくなる。この結果、機構板２０の後面に対し、付属装置の設置スペースを容易に確保することがきる。
【００４８】
この実施の形態において、基枠１０の下部延出部の後面側には、当該部分を覆蓋するようにして、機構板２０の下部をほぼ平坦状をなして張り出すことができる。そして、機構板２０の下部の平坦な張り出し部２０ｂを付属装置の設置スペースとして用い、電源基板１３１が収納された第２副基板ボックス１３０を容易にかつ良好に装着することができる。さらに、第２副基板ボックス１３０の後面に対し、副制御基板としてのランプ制御基板１４１と音制御基板１４２とが左右に隣接してほぼ同一平面上に収納された第３副基板ボックス１４０を段積み状に装着することもできる。
【００４９】
また、この実施の形態において、遊技盤１１の片側の外側部に沿う基枠１０の片側寄り部分において、その基枠１０の前面から前枠３の後面に向けて通路壁２７ａを一体に突設することによって、下部球抜通路２７の主要部（下部球抜通路２７のほぼ全長）を、基枠１０の前面、通路壁２７ａ及び前枠３の後面で囲んで構成することができる。このため、球通路としての下部球抜通路２７をより一層合理的に構成することができる。しかも、前枠３の後面から下部球抜通路２７の後面までの距離も可及的に小さくすることができるとともに、下部球抜通路２７を構成するための専用の通路構成部材を製作して組み付ける必要もない。
【００５０】
また、この実施の形態において、図１と図１０に示すように、基枠１０の遊技盤１１の嵌込み部の片側外側部には、その基枠１０の前面から前枠３の後面に向けて、下皿連通路２６に対応する通路壁２６ａを、下部球抜通路２７に対応する通路壁２７ａの内側に隣接して一体に突設することによって、下部球抜通路２７の内側に隣接する下皿連通路２６を、基枠１０の前面、通路壁２６ａ及び前枠３の後面で囲んで構成することができる。このため、球通路としての下皿連通路２６と下部球抜通路２７とをより一層合理的に構成することができる。
【００５１】
なお、前記実施の形態において、基枠１０に対し、上皿連通路２５、下皿連通路２６及び下部球抜き通路２７の３種類の球通路を形成する形態の遊技機について説明したが、本発明はこのような形態に限定するものではない。例えば、基枠１０に対し、球抜き通路（下部球抜き通路２７）のみを形成した形態にしてもよく、上皿連通路２５のみを形成した形態にしてもよく、下皿連通路２６のみを形成した形態にしてもよい。また、その他の球通路のみを形成した形態にしてもよい。さらに、これら球通路のうち、複数の球通路を形成してもよい。例えば、上皿連通路２５と下皿連通路２６とをそれぞれ形成してもよく、下皿連通路２６と球抜き通路（下部球抜き通路２７）とをそれぞれ形成してもよく、球抜き通路（下部球抜き通路２７）とその他の球通路とをそれぞれ形成してもよい。また、前記実施の形態において、基枠１０の前面から前枠３の後面に向けて通路壁２７ａを一体に突設することによって、下部球抜通路２７の主要部（下部球抜通路２７のほぼ全長）を、基枠１０の前面、通路壁２７ａ及び前枠３の後面で囲んで構成したが、これに限定するものではない。例えば、基枠１０の前側に、下部球抜通路２７等の各種の球通路の少なくとも一部を構成するための通路壁を有する専用の通路構成部材を製作して組み付けることによって球通路を構成してもよい。
【符号の説明】
【００５２】
１  パチンコ機（遊技機）
３  前枠
１０  基枠
１１  遊技盤
２０  機構板
２７  下部球抜通路（球通路）
２７ａ  通路壁
５１  球払出ユニット（球払出装置）
【図１】
2010131445.tif 000003
【図２】
2010131445.tif 000004
【図３】
2010131445.tif 000005
【図４】
2010131445.tif 000006
【図５】
2010131445.tif 000007
【図６】
2010131445.tif 000008
【図７】
2010131445.tif 000009
【図８】
2010131445.tif 000010
【図９】
2010131445.tif 000011
【図１０】
2010131445.tif 000012
【図１１】
2010131445.tif 000013
【図１２】
2010131445.tif 000014
【図１３】
2010131445.tif 000015
【図１４】
2010131445.tif 000016
【図１５】
2010131445.tif 000017
【図１６】
2010131445.tif 000018
【図１７】
2010131445.tif 000019